(57)【特許請求の範囲】
【請求項１】
複数の原稿を順次読取る読取手段と、
この読取手段により読取った原稿画像を記憶する第１の記憶手段と、
この第１の記憶手段に記憶している各画像の管理情報として、上記読取手段による一連の読取処理であることを示す操作ＩＤ情報、一連の読取処理における読取順序情報、各文書の先頭頁であるか否かを示す属性情報、および、先頭頁ごとに分割される文書を示す文書ＩＤ情報を記憶する第２の記憶手段と、
複数からなる原稿を一連の読取処理として上記読取手段により順次読取り、上記第１の記憶手段に一連の読取処理として上記読取手段により読取った各画像を記憶し、上記第１の記憶手段に記憶した一連の読取処理として読取った各画像の管理情報として共通の操作ＩＤ情報と読取順序とを上記第２の記憶手段に記憶する第１の処理手段と、
この第１の処理手段により処理された上記第１の記憶手段に記憶されている各画像が文書の先頭頁か否かを判断し、上記第２の記憶手段に記憶されている各画像の管理情報として、上記判断結果に応じて属性情報を記憶するとともに、上記判断により先頭頁と判断された画像の読取順序に基づいて分割される各文書ごとに文書ＩＤ情報を記憶する第２の処理手段と、
を具備したことを特徴とする画像処理システム。
【請求項２】
複数の原稿を順次読取る読取手段と、
この読取手段により読取った原稿画像を記憶する第１の記憶手段と、
この第１の記憶手段に記憶している各画像の管理情報として、上記読取手段による一連の読取処理であることを示す操作ＩＤ情報、一連の読取処理における読取順序情報、各文書の先頭頁であるか否かを示す属性情報、および、先頭頁ごとに分割される文書を示す文書ＩＤ情報を記憶する第２の記憶手段と、
複数からなる原稿を一連の読取処理として上記読取手段により順次読取り、上記第１の記憶手段に一連の読取処理として上記読取手段により読取った各画像を記憶し、上記第１の記憶手段に記憶した一連の読取処理として読取った各画像の管理情報として共通の操作ＩＤ情報と読取順序とを上記第２の記憶手段に記憶する第１の処理手段と、
この第１の処理手段により処理された上記第１の記憶手段に記憶されている各画像が文書の先頭頁か否かを判断し、上記第２の記憶手段に記憶されている各画像の管理情報として、上記判断結果に応じて属性情報を記憶するとともに、上記判断により先頭頁と判断された画像の読取順序に基づいて分割される各文書ごとに文書ＩＤ情報を記憶する第２の処理手段と、
上記第２の記憶手段に管理情報として記憶している特定の画像の属性情報の変更を指示する指示手段と、
この指示手段により特定の画像に対する属性情報が先頭頁から先頭頁以外に変更された場合、上記第２の記憶手段に記憶されている当該画像の属性情報を先頭頁以外に変更するとともに、上記属性情報が先頭頁以外に変更された当該画像で区切られていた共通の操作ＩＤ情報の各画像の文書ＩＤ情報を共通の文書ＩＤ情報に更新する第３の処理手段と、
を具備したことを特徴とする画像処理システム。
【請求項３】
複数の原稿を順次読取る読取手段と、
この読取手段により読取った原稿画像を記憶する第１の記憶手段と、
この第１の記憶手段に記憶している各画像の管理情報として、上記読取手段による一連の読取処理であることを示す操作ＩＤ情報、一連の読取処理における読取順序情報、各文書の先頭頁であるか否かを示す属性情報、および、先頭頁ごとに分割される文書を示す文書ＩＤ情報を記憶する第２の記憶手段と、
複数からなる原稿を一連の読取処理として上記読取手段により順次読取り、上記第１の記憶手段に一連の読取処理として上記読取手段により読取った各画像を記憶し、上記第１の記憶手段に記憶した一連の読取処理として読取った各画像の管理情報として共通の操作ＩＤ情報と読取順序とを上記第２の記憶手段に記憶する第１の処理手段と、
この第１の処理手段により処理された上記第１の記憶手段に記憶されている各画像が文書の先頭頁か否かを判断し、上記第２の記憶手段に記憶されている各画像の管理情報として、上記判断結果に応じて属性情報を記憶するとともに、上記判断により先頭頁と判断された画像の読取順序に基づいて分割される各文書ごとに文書ＩＤ情報を記憶する第２の処理手段と、
上記第２の記憶手段に記憶している管理情報に基づいて、上記第１の記憶手段により記憶されている画像とその画像の属性情報とを表示する表示手段と、
上記表示手段により表示されている画像に対して、その画像の属性情報の変更を指示する指示手段と、
この指示手段により特定の画像に対する属性情報が先頭頁から先頭頁以外に変更された場合、上記第２の記憶手段に記憶されている当該画像の属性情報を先頭頁以外に変更するとともに、上記属性情報が先頭頁以外に変更された当該画像で区切られていた同一の操作ＩＤ情報の画像で構成される２つのに属する各画像の文書ＩＤ情報を共通の文書ＩＤ情報に更新する第３の処理手段と、
を具備したことを特徴とする画像処理システム。
【請求項４】
複数の原稿を順次読取る読取手段と、
この読取手段により読取った原稿画像を記憶する第１の記憶手段と、
この第１の記憶手段に記憶している各画像の管理情報として、上記読取手段による一連の読取処理であることを示す操作ＩＤ情報、一連の読取処理における読取順序情報、各文書の先頭頁であるか否かを示す属性情報、および、先頭頁ごとに分割される文書を示す文書ＩＤ情報を記憶する第２の記憶手段と、
複数からなる原稿を一連の読取処理として上記読取手段により順次読取り、上記第１の記憶手段に一連の読取処理として上記読取手段により読取った各画像を記憶し、上記第１の記憶手段に記憶した一連の読取処理として読取った各画像の管理情報として共通の操作ＩＤ情報と読取順序とを上記第２の記憶手段に記憶する第１の処理手段と、
この第１の処理手段により処理された上記第１の記憶手段に記憶されている各画像が文書の先頭頁か否かを判断し、上記第２の記憶手段に記憶されている各画像の管理情報として、上記判断結果に応じて属性情報を記憶するとともに、上記判断により先頭頁と判断された画像の読取順序に基づいて分割される各文書ごとに文書ＩＤ情報を記憶する第２の処理手段と、
上記第２の記憶手段に管理情報として記憶している特定の画像の属性情報の変更を指示する指示手段と、
この指示手段により特定の画像に対する属性情報が先頭頁以外から先頭頁に変更された場合、上記第２の記憶手段に記憶されている当該画像の属性情報を先頭頁に変更するとともに、上記属性情報が先頭頁に変更された画像の読取順序で分割される同一操作ＩＤ情報の画像をそれぞれの文書ＩＤ情報に更新する第３の処理手段と、
を具備したことを特徴とする画像処理システム。
【請求項５】
複数の原稿を順次読取る読取手段と、
この読取手段により読取った原稿画像を記憶する第１の記憶手段と、
この第１の記憶手段に記憶している各画像の管理情報として、上記読取手段による一連の読取処理であることを示す操作ＩＤ情報、一連の読取処理における読取順序情報、各文書の先頭頁であるか否かを示す属性情報、および、先頭頁ごとに分割される文書を示す文書ＩＤ情報を記憶する第２の記憶手段と、
複数からなる原稿を一連の読取処理として上記読取手段により順次読取り、上記第１の記憶手段に一連の読取処理として上記読取手段により読取った各画像を記憶し、上記第１の記憶手段に記憶した一連の読取処理として読取った各画像の管理情報として共通の操作ＩＤ情報と読取順序とを上記第２の記憶手段に記憶する第１の処理手段と、
この第１の処理手段により処理された上記第１の記憶手段に記憶されている各画像が文書の先頭頁か否かを判断し、上記第２の記憶手段に記憶されている各画像の管理情報として、上記判断結果に応じて属性情報を記憶するとともに、上記判断により先頭頁と判断された画像の読取順序に基づいて分割される各文書ごとに文書ＩＤ情報を記憶する第２の処理手段と、
上記第２の記憶手段に記憶している管理情報に基づいて、上記第１の記憶手段により記憶されている画像とその画像の属性情報とを表示する表示手段と、
上記表示手段により表示されている画像に対して、その画像の属性情報の変更を指示する指示手段と、
この指示手段により特定の画像に対する属性情報が先頭頁以外から先頭頁に変更された場合、上記第２の記憶手段に記憶されている当該画像の属性情報を先頭頁に変更するとともに、上記属性情報が先頭頁に変更された画像の読取順序で分割される同一操作ＩＤ情報の画像をそれぞれの文書ＩＤ情報に更新する第３の処理手段と、
を具備したことを特徴とする画像処理システム。
【請求項６】
複数の原稿を順次読取る読取手段と、
この読取手段により読取った原稿画像を記憶する第１の記憶手段と、
この第１の記憶手段に記憶している各画像の管理情報として、上記読取手段による一連の読取処理であることを示す操作ＩＤ情報、一連の読取処理における読取順序情報、各文書の先頭頁であるか否かを示す属性情報、および、先頭頁ごとに分割される文書を示す文書ＩＤ情報を記憶する第２の記憶手段と、
複数からなる原稿を一連の読取処理として上記読取手段により順次読取り、上記第１の記憶手段に一連の読取処理として上記読取手段により読取った各画像を記憶し、上記第１の記憶手段に記憶した一連の読取処理として読取った各画像の管理情報として共通の操作ＩＤ情報と読取順序とを上記第２の記憶手段に記憶する第１の処理手段と、
この第１の処理手段により処理された上記第１の記憶手段に記憶されている各画像が文書の先頭頁か否かを判断し、上記第２の記憶手段に記憶されている各画像の管理情報として、上記判断結果に応じて属性情報を記憶するとともに、上記判断により先頭頁と判断された画像の読取順序に基づいて分割される各文書ごとに文書ＩＤ情報を記憶する第２の処理手段と、
上記第２の記憶手段に記憶している管理情報により２つの文書として管理されている文書同士の結合を指示する指示手段と、
この指示手段により２つの文書の結合が指示された場合、２つの文書を構成する各画像の操作ＩＤ情報が共通であるか否かを判断する判断手段と、
この判断手段により２つの文書を構成する各画像が共通の操作ＩＤ情報であると判断した場合、各文書の先頭頁としての２つの先頭頁の画像のうち読取り順序が大きい方の画像の属性情報を先頭頁以外に変更するとともに、それらの２つの文書を構成する各画像の文書ＩＤ情報を共通の文書ＩＤ情報に更新する第３の処理手段と、
上記判断手段により２つの文書を構成する各画像が共通の操作ＩＤ情報でないと判断した場合、異なる読取処理で読取られた文書同士の結合である旨をユーザに報知する報知手段と、
この報知手段により報知した状態において文書同士の結合が再度指示された場合、各文書の先頭頁としての２つの先頭頁の画像のうち何れか一方の画像の属性情報を先頭頁以外に変更するとともに、それらの２つの文書を構成する各画像の文書ＩＤ情報を共通の文書ＩＤ情報に更新する第４の処理手段と、
を具備したことを特徴とする画像処理システム。
【請求項７】
複数の原稿を順次読取る読取手段と、
この読取手段により読取った原稿画像を記憶する第１の記憶手段と、
この第１の記憶手段に記憶している各画像の管理情報として、上記読取手段による一連の読取処理であることを示す操作ＩＤ情報、一連の読取処理における読取順序情報、各文書の先頭頁であるか否かを示す属性情報、および、先頭頁ごとに分割される文書を示す文書ＩＤ情報を記憶する第２の記憶手段と、
複数からなる原稿を一連の読取処理として上記読取手段により順次読取り、上記第１の記憶手段に一連の読取処理として上記読取手段により読取った各画像を記憶し、上記第１の記憶手段に記憶した一連の読取処理として読取った各画像の管理情報として共通の操作ＩＤ情報と読取順序とを上記第２の記憶手段に記憶する第１の処理手段と、
この第１の処理手段により処理された上記第１の記憶手段に記憶されている各画像が文書の先頭頁か否かを判断し、上記第２の記憶手段に記憶されている各画像の管理情報として、上記判断結果に応じて属性情報を記憶するとともに、上記判断により先頭頁と判断された画像の読取順序に基づいて分割される各文書ごとに文書ＩＤ情報を記憶する第２の処理手段と、
上記第２の記憶手段に記憶している管理情報に基づいて、各文書を示すアイコンを表示する表示手段と、
上記表示手段により表示されている２つのアイコンを用いてそれらのアイコンに対応する２つの文書同士の結合を指示する指示手段と、
この指示手段により２つの文書の結合が指示された場合、２つの文書を構成する各画像の操作ＩＤ情報が共通であるか否かを判断する判断手段と、
この判断手段により２つの文書を構成する各画像が共通の操作ＩＤ情報であると判断した場合、各文書の先頭頁としての２つの先頭頁の画像のうち読取り順序が大きい方の画像の属性情報を先頭頁以外に変更するとともに、それらの２つの文書を構成する各画像の文書ＩＤ情報を共通の文書ＩＤ情報に更新する第３の処理手段と、
上記判断手段により２つの文書を構成する各画像が共通の操作ＩＤ情報でないと判断した場合、異なる読取処理で読取られた文書同士の結合である旨をユーザに報知する報知手段と、
この報知手段により報知した状態において文書同士の結合が再度指示された場合、各文書の先頭頁としての２つの先頭頁の画像のうち何れか一方の画像の属性情報を先頭頁以外に変更するとともに、それらの２つの文書を構成する各画像の文書ＩＤ情報を共通の文書ＩＤ情報に更新する第４の処理手段と、
を具備したことを特徴とする画像処理システム。
【請求項８】
複数の原稿を順次読取る読取手段と、
この読取手段により読取った原稿画像を記憶する第１の記憶手段と、
この第１の記憶手段に記憶している各画像の管理情報として、上記読取手段による一連の読取処理であることを示す操作ＩＤ情報、一連の読取処理における読取順序情報、各文書の先頭頁であるか否かを示す属性情報、先頭頁ごとに分割される文書を示す文書ＩＤ情報、および、上記操作ＩＤ情報ごとの処理状態を示す処理状態情報を記憶する第２の記憶手段と、
複数からなる原稿を一連の読取処理として上記読取手段により順次読取り、上記第１の記憶手段に一連の読取処理として上記読取手段により読取った各画像を記憶し、上記第１の記憶手段に記憶した一連の読取処理として読取った各画像の管理情報として共通の操作ＩＤ情報と読取順序とを上記第２の記憶手段に記憶する第１の処理手段と、
この第１の処理手段により処理された上記第１の記憶手段に記憶されている各画像が文書の先頭頁か否かを判断し、上記第２の記憶手段に記憶されている各画像の管理情報として、上記判断結果に応じて属性情報を記憶するとともに、上記判断により先頭頁と判断された画像の読取順序に基づいて分割される各文書ごとに文書ＩＤ情報を記憶する第２の処理手段と、
上記第２の記憶手段に記憶されている各操作ＩＤ情報ごとに処理状態情報に応じた処理状態を示すアイコンを表示する表示手段と、
を具備することを特徴とする画像処理システム。
【発明の詳細な説明】
【０００１】
【発明の属する技術分野】
この発明は、例えば、複数の原稿を読取り、その読取った原稿画像に対応する管理情報により画像処理する画像処理システムに関する。
【０００２】
【従来の技術】
従来、画像処理システムにおいて、一度の操作で連続して読取った原稿画像の複数ページを１単位として扱い、その単位どうしの結合／分割処理を行う技術は、すでに公開されている。
【０００３】
例えば、既存のアプリケーションソフトウェアでは、一度の操作で連続して読取った原稿の複数ページを１文書として扱っている。このソフトウェアでは、各文書の先頭ページを縮小画像で一覧表示し、ユーザが縮小画像で表示されているある文書を選択して移動させ（ドラッグ）、縮小画像で表示されている他の文書に移動先を決定する（ドロップ）と、ドロップ先の文書の先頭ページ部分に選択された文書のページが挿入され、２つの文書が１つに結合できるようになっている。
【０００４】
また、ユーザがある文書を選択してメニューを表示させ、「ばらす」というコマンドを選択すると、その文書内にある複数ページを、１ぺージごとに分割するようになっている。
【０００５】
一方、複数の文書を一度の読取り操作で一括して入力する技術も、すでに公開されている。
【０００６】
例えば、特定のエリアに特定マークを印刷した特殊なシートを文書間にはさみ、全文書を自動給紙装置などにセットして一度の操作で入力すると、入力された画像がシートであるか否かを検出し、シートであった場合には、そのシートの前後で文書を分割して、それぞれを独立した一つの文書とする技術である。
【０００７】
これらの技術は、複数の原稿画像を文書ごとに記憶する画像ファイリングなどに利用されている。
【０００８】
従来の技術では、次の点で問題があった。
【０００９】
１）  複数文書を一度の操作で連続して読取処理した場合に、文書の区切りを示す特殊なシートを検知し、自動的に分割すると、分割後の文書を一単位として扱うようになっている。したがって、分割後は、各文書の読取順序の情報が欠落し、シートの検知にミスがあった場合には、ユーザがどの文書とどの文書とを連続して入力したのかを確認して、結合作業を行う必要があり、操作が煩雑になっている。
【００１０】
２）  複数の文書に対して読取処理の操作あるいは読取順序の管理が行われていないにもかかわらず、文書を選択してドロップするという操作で２つの文書の結合を行うようにしているため、ユーザの操作ミスにより、関連のない文書どうしを結合してしまうという操作ミスが発生する。
【００１１】
３）  高速スキャナなどにおいて、物理的にスキャナが全原稿を読み取っていても、画像の転送や特殊なシートの検知処理などの処理は、まだ行われている場合がある。このような場合、ユーザは、どのデータが処理を終了したものであるか、データを操作してから初めて知ることになり、操作が煩雑になっている。
【００１２】
【発明が解決しようとする課題】
上記したように、複数文書を一度の操作で連続して読取処理し、かつ連続して読取られた原稿画像を、特殊なシートを区切りとして自動分割した場合に、読取後に分割された文書に対する操作が煩雑になったり、文書の処理状態が不明であるという問題点を解決するもので、複数文書を一度の操作で連続して読取処理し、かつ連続して読取った原稿画像を、特殊なシートを区切りとして自動分割した場合に、読取後に分割された文書に対する操作が容易で、文書の処理状態が明確である画像処理システムを提供することを目的とする。
【００１３】
【課題を解決するための手段】
この発明の画像処理システムは、複数の原稿を順次読取る読取手段、この読取手段により読取った原稿画像を記憶する第１の記憶手段、この第１の記憶手段に記憶している各画像の管理情報として、上記読取手段による一連の読取処理であることを示す操作ＩＤ情報、一連の読取処理における読取順序情報、各文書の先頭頁であるか否かを示す属性情報、および、先頭頁ごとに分割される文書を示す文書ＩＤ情報を記憶する第２の記憶手段、複数からなる原稿を一連の読取処理として上記読取手段により順次読取り、上記第１の記憶手段に一連の読取処理として上記読取手段により読取った各画像を記憶し、上記第１の記憶手段に記憶した一連の読取処理として読取った各画像の管理情報として共通の操作ＩＤ情報と読取順序とを上記第２の記憶手段に記憶する第１の処理手段、この第１の処理手段により処理された上記第１の記憶手段に記憶されている各画像が文書の先頭頁か否かを判断し、上記第２の記憶手段に記憶されている各画像の管理情報として、上記判断結果に応じて属性情報を記憶するとともに、上記判断により先頭頁と判断された画像の読取順序に基づいて分割される各文書ごとに文書ＩＤ情報を記憶する第２の処理手段から構成されている。
【００１４】
この発明の画像処理システムは、複数の原稿を順次読取る読取手段、この読取手段により読取った原稿画像を記憶する第１の記憶手段、この第１の記憶手段に記憶している各画像の管理情報として、上記読取手段による一連の読取処理であることを示す操作ＩＤ情報、一連の読取処理における読取順序情報、各文書の先頭頁であるか否かを示す属性情報、および、先頭頁ごとに分割される文書を示す文書ＩＤ情報を記憶する第２の記憶手段、複数からなる原稿を一連の読取処理として上記読取手段により順次読取り、上記第１の記憶手段に一連の読取処理として上記読取手段により読取った各画像を記憶し、上記第１の記憶手段に記憶した一連の読取処理として読取った各画像の管理情報として共通の操作ＩＤ情報と読取順序とを上記第２の記憶手段に記憶する第１の処理手段、この第１の処理手段により処理された上記第１の記憶手段に記憶されている各画像が文書の先頭頁か否かを判断し、上記第２の記憶手段に記憶されている各画像の管理情報として、上記判断結果に応じて属性情報を記憶するとともに、上記判断により先頭頁と判断された画像の読取順序に基づいて分割される各文書ごとに文書ＩＤ情報を記憶する第２の処理手段、上記第２の記憶手段に管理情報として記憶している特定の画像の属性情報の変更を指示する指示手段、および、この指示手段により特定の画像に対する属性情報が先頭頁から先頭頁以外に変更された場合、上記第２の記憶手段に記憶されている当該画像の属性情報を先頭頁以外に変更するとともに、上記属性情報が先頭頁以外に変更された当該画像で区切られていた共通の操作ＩＤ情報の各画像の文書ＩＤ情報を共通の文書ＩＤ情報に更新する第３の処理手段から構成されている。
【００１５】
この発明の画像処理システムは、複数の原稿を順次読取る読取手段、この読取手段により読取った原稿画像を記憶する第１の記憶手段、この第１の記憶手段に記憶している各画像の管理情報として、上記読取手段による一連の読取処理であることを示す操作ＩＤ情報、一連の読取処理における読取順序情報、各文書の先頭頁であるか否かを示す属性情報、および、先頭頁ごとに分割される文書を示す文書ＩＤ情報を記憶する第２の記憶手段、複数からなる原稿を一連の読取処理として上記読取手段により順次読取り、上記第１の記憶手段に一連の読取処理として上記読取手段により読取った各画像を記憶し、上記第１の記憶手段に記憶した一連の読取処理として読取った各画像の管理情報として共通の操作ＩＤ情報と読取順序とを上記第２の記憶手段に記憶する第１の処理手段、この第１の処理手段により処理された上記第１の記憶手段に記憶されている各画像が文書の先頭頁か否かを判断し、上記第２の記憶手段に記憶されている各画像の管理情報として、上記判断結果に応じて属性情報を記憶するとともに、上記判断により先頭頁と判断された画像の読取順序に基づいて分割される各文書ごとに文書ＩＤ情報を記憶する第２の処理手段、上記第２の記憶手段に記憶している管理情報に基づいて、上記第１の記憶手段により記憶されている画像とその画像の属性情報とを表示する表示手段、上記表示手段により表示されている画像に対して、その画像の属性情報の変更を指示する指示手段、および、この指示手段により特定の画像に対する属性情報が先頭頁から先頭頁以外に変更された場合、上記第２の記憶手段に記憶されている当該画像の属性情報を先頭頁以外に変更するとともに、上記属性情報が先頭頁以外に変更された当該画像で区切られていた同一の操作ＩＤ情報の画像で構成される２つのに属する各画像の文書ＩＤ情報を共通の文書ＩＤ情報に更新する第３の処理手段から構成されている。
【００１６】
この発明の画像処理システムは、複数の原稿を順次読取る読取手段、この読取手段により読取った原稿画像を記憶する第１の記憶手段、この第１の記憶手段に記憶している各画像の管理情報として、上記読取手段による一連の読取処理であることを示す操作ＩＤ情報、一連の読取処理における読取順序情報、各文書の先頭頁であるか否かを示す属性情報、および、先頭頁ごとに分割される文書を示す文書ＩＤ情報を記憶する第２の記憶手段、複数からなる原稿を一連の読取処理として上記読取手段により順次読取り、上記第１の記憶手段に一連の読取処理として上記読取手段により読取った各画像を記憶し、上記第１の記憶手段に記憶した一連の読取処理として読取った各画像の管理情報として共通の操作ＩＤ情報と読取順序とを上記第２の記憶手段に記憶する第１の処理手段、この第１の処理手段により処理された上記第１の記憶手段に記憶されている各画像が文書の先頭頁か否かを判断し、上記第２の記憶手段に記憶されている各画像の管理情報として、上記判断結果に応じて属性情報を記憶するとともに、上記判断により先頭頁と判断された画像の読取順序に基づいて分割される各文書ごとに文書ＩＤ情報を記憶する第２の処理手段、上記第２の記憶手段に管理情報として記憶している特定の画像の属性情報の変更を指示する指示手段、および、この指示手段により特定の画像に対する属性情報が先頭頁以外から先頭頁に変更された場合、上記第２の記憶手段に記憶されている当該画像の属性情報を先頭頁に変更するとともに、上記属性情報が先頭頁に変更された画像の読取順序で分割される同一操作ＩＤ情報の画像をそれぞれの文書ＩＤ情報に更新する第３の処理手段から構成されている。
【００１７】
この発明の画像処理システムは、複数の原稿を順次読取る読取手段、この読取手段により読取った原稿画像を記憶する第１の記憶手段、この第１の記憶手段に記憶している各画像の管理情報として、上記読取手段による一連の読取処理であることを示す操作ＩＤ情報、一連の読取処理における読取順序情報、各文書の先頭頁であるか否かを示す属性情報、および、先頭頁ごとに分割される文書を示す文書ＩＤ情報を記憶する第２の記憶手段、複数からなる原稿を一連の読取処理として上記読取手段により順次読取り、上記第１の記憶手段に一連の読取処理として上記読取手段により読取った各画像を記憶し、上記第１の記憶手段に記憶した一連の読取処理として読取った各画像の管理情報として共通の操作ＩＤ情報と読取順序とを上記第２の記憶手段に記憶する第１の処理手段、この第１の処理手段により処理された上記第１の記憶手段に記憶されている各画像が文書の先頭頁か否かを判断し、上記第２の記憶手段に記憶されている各画像の管理情報として、上記判断結果に応じて属性情報を記憶するとともに、上記判断により先頭頁と判断された画像の読取順序に基づいて分割される各文書ごとに文書ＩＤ情報を記憶する第２の処理手段、上記第２の記憶手段に記憶している管理情報に基づいて、上記第１の記憶手段により記憶されている画像とその画像の属性情報とを表示する表示手段、上記表示手段により表示されている画像に対して、その画像の属性情報の変更を指示する指示手段、および、この指示手段により特定の画像に対する属性情報が先頭頁以外から先頭頁に変更された場合、上記第２の記憶手段に記憶されている当該画像の属性情報を先頭頁に変更するとともに、上記属性情報が先頭頁に変更された画像の読取順序で分割される同一操作ＩＤ情報の画像をそれぞれの文書ＩＤ情報に更新する第３の処理手段から構成されている。
【００１８】
この発明の画像処理システムは、複数の原稿を順次読取る読取手段、この読取手段により読取った原稿画像を記憶する第１の記憶手段、この第１の記憶手段に記憶している各画像の管理情報として、上記読取手段による一連の読取処理であることを示す操作ＩＤ情報、一連の読取処理における読取順序情報、各文書の先頭頁であるか否かを示す属性情報、および、先頭頁ごとに分割される文書を示す文書ＩＤ情報を記憶する第２の記憶手段、複数からなる原稿を一連の読取処理として上記読取手段により順次読取り、上記第１の記憶手段に一連の読取処理として上記読取手段により読取った各画像を記憶し、上記第１の記憶手段に記憶した一連の読取処理として読取った各画像の管理情報として共通の操作ＩＤ情報と読取順序とを上記第２の記憶手段に記憶する第１の処理手段、この第１の処理手段により処理された上記第１の記憶手段に記憶されている各画像が文書の先頭頁か否かを判断し、上記第２の記憶手段に記憶されている各画像の管理情報として、上記判断結果に応じて属性情報を記憶するとともに、上記判断により先頭頁と判断された画像の読取順序に基づいて分割される各文書ごとに文書ＩＤ情報を記憶する第２の処理手段、上記第２の記憶手段に記憶している管理情報により２つの文書として管理されている文書同士の結合を指示する指示手段、この指示手段により２つの文書の結合が指示された場合、２つの文書を構成する各画像の操作ＩＤ情報が共通であるか否かを判断する判断手段、この判断手段により２つの文書を構成する各画像が共通の操作ＩＤ情報であると判断した場合、各文書の先頭頁としての２つの先頭頁の画像のうち読取り順序が大きい方の画像の属性情報を先頭頁以外に変更するとともに、それらの２つの文書を構成する各画像の文書ＩＤ情報を共通の文書ＩＤ情報に更新する第３の処理手段、上記判断手段により２つの文書を構成する各画像が共通の操作ＩＤ情報でないと判断した場合、異なる読取処理で読取られた文書同士の結合である旨をユーザに報知する報知手段、および、この報知手段により報知した状態において文書同士の結合が再度指示された場合、各文書の先頭頁としての２つの先頭頁の画像のうち何れか一方の画像の属性情報を先頭頁以外に変更するとともに、それらの２つの文書を構成する各画像の文書ＩＤ情報を共通の文書ＩＤ情報に更新する第４の処理手段から構成されている。
【００１９】
この発明の画像処理システムは、複数の原稿を順次読取る読取手段、この読取手段により読取った原稿画像を記憶する第１の記憶手段、この第１の記憶手段に記憶している各画像の管理情報として、上記読取手段による一連の読取処理であることを示す操作ＩＤ情報、一連の読取処理における読取順序情報、各文書の先頭頁であるか否かを示す属性情報、および、先頭頁ごとに分割される文書を示す文書ＩＤ情報を記憶する第２の記憶手段、複数からなる原稿を一連の読取処理として上記読取手段により順次読取り、上記第１の記憶手段に一連の読取処理として上記読取手段により読取った各画像を記憶し、上記第１の記憶手段に記憶した一連の読取処理として読取った各画像の管理情報として共通の操作ＩＤ情報と読取順序とを上記第２の記憶手段に記憶する第１の処理手段、この第１の処理手段により処理された上記第１の記憶手段に記憶されている各画像が文書の先頭頁か否かを判断し、上記第２の記憶手段に記憶されている各画像の管理情報として、上記判断結果に応じて属性情報を記憶するとともに、上記判断により先頭頁と判断された画像の読取順序に基づいて分割される各文書ごとに文書ＩＤ情報を記憶する第２の処理手段、上記第２の記憶手段に記憶している管理情報に基づいて、各文書を示すアイコンを表示する表示手段、上記表示手段により表示されている２つのアイコンを用いてそれらのアイコンに対応する２つの文書同士の結合を指示する指示手段、この指示手段により２つの文書の結合が指示された場合、２つの文書を構成する各画像の操作ＩＤ情報が共通であるか否かを判断する判断手段、この判断手段により２つの文書を構成する各画像が共通の操作ＩＤ情報であると判断した場合、各文書の先頭頁としての２つの先頭頁の画像のうち読取り順序が大きい方の画像の属性情報を先頭頁以外に変更するとともに、それらの２つの文書を構成する各画像の文書ＩＤ情報を共通の文書ＩＤ情報に更新する第３の処理手段、上記判断手段により２つの文書を構成する各画像が共通の操作ＩＤ情報でないと判断した場合、異なる読取処理で読取られた文書同士の結合である旨をユーザに報知する報知手段、および、この報知手段により報知した状態において文書同士の結合が再度指示された場合、各文書の先頭頁としての２つの先頭頁の画像のうち何れか一方の画像の属性情報を先頭頁以外に変更するとともに、それらの２つの文書を構成する各画像の文書ＩＤ情報を共通の文書ＩＤ情報に更新する第４の処理手段から構成されている。
【００２０】
この発明の画像処理システムは、複数の原稿を順次読取る読取手段、この読取手段により読取った原稿画像を記憶する第１の記憶手段、この第１の記憶手段に記憶している各画像の管理情報として、上記読取手段による一連の読取処理であることを示す操作ＩＤ情報、一連の読取処理における読取順序情報、各文書の先頭頁であるか否かを示す属性情報、先頭頁ごとに分割される文書を示す文書ＩＤ情報、および、上記操作ＩＤ情報ごとの処理状態を示す処理状態情報を記憶する第２の記憶手段、複数からなる原稿を一連の読取処理として上記読取手段により順次読取り、上記第１の記憶手段に一連の読取処理として上記読取手段により読取った各画像を記憶し、上記第１の記憶手段に記憶した一連の読取処理として読取った各画像の管理情報として共通の操作ＩＤ情報と読取順序とを上記第２の記憶手段に記憶する第１の処理手段、この第１の処理手段により処理された上記第１の記憶手段に記憶されている各画像が文書の先頭頁か否かを判断し、上記第２の記憶手段に記憶されている各画像の管理情報として、上記判断結果に応じて属性情報を記憶するとともに、上記判断により先頭頁と判断された画像の読取順序に基づいて分割される各文書ごとに文書ＩＤ情報を記憶する第２の処理手段、および、上記第２の記憶手段に記憶されている各操作ＩＤ情報ごとに処理状態情報に応じた処理状態を示すアイコンを表示する表示手段から構成されている。
【００２３】
【発明の実施の形態】
以下、この発明の実施の形態について図面を参照して説明する。
【００２４】
図１は、この発明の実施の形態に係る画像処理システムとしてのシステム構成の一例を示すものである。
【００２５】
図１に示すように、このシステムは、複数枚の原稿などを連続して読取る画像読取部を有する複写機１、原稿の原稿画像を記憶するとともに、それらの原稿画像に対応した管理データを記憶するネットワークサーバ２、利用者（ユーザ）が直接操作することにより、ネットワークサーバ２に記憶されている原稿画像や管理データを表示したり、変更したりするユーザＰＣ３から構成される。上記複写機１、上記ネットワークサーバ２、および上記ユーザＰＣ３は通信回線２３を介して接続されているものである。
【００２６】
上記複写機１は、制御部１１、画像読取部１２、自動給紙装置（ＡＤＦ）１３、表示部１４、操作部１５、記憶部１６、画像形成部１７、およびネットワークインターフェイス１０から構成されている。また、この画像処理システムの構成として複写機１の代わりに、制御部、画像読取部、および自動給紙装置等からなるディスクトップ用の読取装置（スキャナ）で構成するようにしてもよい。
【００２７】
上記画像読取部１２は、ユーザにより自動給紙装置１３にセットされた原稿を１枚ずつ読取り、原稿画像としての画像データに変換するものである。
【００２８】
上記自動給紙装置１３は、セットされた原稿の読取順序が最終ページから先頭ページの順に読取るものか先頭ページから最終ページの順に読取るものかが予め決まっているものである。
【００２９】
例えば、複写機などに用いられる原稿が上向きにセットされ、自動給紙装置１３上の最も下に位置する原稿から読取処理が行われる自動給紙装置１３の場合、画像読取部１２が、読取った原稿の読取順序とは逆の順序が原稿順序となる。
【００３０】
また、デスクトップ用の読取装置などに用いられる原稿が下向きにセットされ、自動給紙装置１３上の最も下に位置する原稿から読取処理が行われる場合、画像読取部１２が読取った原稿の読取順序が原稿順序となる。
【００３１】
上記ネットワークサーバ２は、制御部２１、操作部２２、データ記憶部２３、およびネットワークインターフェイス２０から構成されている。
【００３２】
上記制御部２１は、上記データ記憶部２３に記憶された原稿画像から原稿画像からシートの画像を検知したり、ユーザの指示に基づいて上記データ記憶部２３に記憶される管理データの書込み、読出し、変更等の処理を行うものである。
【００３３】
上記データ記憶部２３は、読取った原稿画像や各種データを記憶するものである。また、このデータ記憶部２３は、ユーザによる一度の操作で読取った複数ぺージの原稿画像を一操作単位とした操作管理テーブル２３ａ、各操作に属する文書の管理データが記憶される文書管理テーブル２３ｂ、および各文書を構成する少なくとも１ページ以上の原稿ページの管理データが記憶されるページ管理テーブル２３ｃを有している。
【００３４】
上記操作管理テーブル２３ａは、各操作単位で読取った原稿画像の管理データが記憶されるものである。
【００３５】
上記文書管理テーブル２３ｂは、原稿順序で連続する原稿画像でシートＳを先頭ページとし、この先頭ページから次のシートＳの直前の原稿画像までをーつの文書単位として管理データを記憶するものである。
【００３６】
上記ページ管理テーブル２３ｃは、各文書を構成する原稿画像のそれぞれに対してその属性や原稿順序などの各ページの管理データを記憶するものである。
【００３７】
上記ユーザＰＣ３は、制御部３１、表示部３２、記憶部３３、操作部３４、およびネットワークインターフェイス３０から構成されている。
【００３８】
上記制御部３１は、上記表示部３２に表示される画面に基づいて表示内容に対するユーザの操作部３４による操作を検知したり、上記操作部３４によるユーザの指示に基づいて、上記ネットワークサーバ２の上記データ記憶部２３内の管理データの変更したりするものである。
【００３９】
上記表示部３２は、上記ネットワークサーバ２のデータ記憶部２３内の操作管理データテーブル２３ａ、文書管理テーブル２３ｂ、およびページ管理テーブル２３ｃによりどのような階層構造で管理されているのか、あるいは各ページの画像の属性が何かを表示するものである。
【００４０】
上記記憶部３３は、制御部３１により制御される上記表示部３２に表示するデータが記憶されたり表示部３２に表示されるアイコンやマウスポインタなどの各種データが記憶されている。
【００４１】
上記操作部３４は、キーボードやマウスなどのポインティングディバイス等により構成され、ユーザにより画像の属性の変更などの種々の操作がなされるものである。
【００４２】
なお、上記構成は、物理的な制約を受けずに、ネットワークを介して接続された各装置上に具備することが可能である。つまり、上記の構成に限らずに、この発明を構成する各要素がネットワーク上でどの装置に具備されていてもよい。
【００４３】
図２は、文書と文書とを分割するために使用する特殊なシート（セパレータ）Ｓの一例を示すものである。
【００４４】
図２に示すように、シートＳの上部には、シートＳであることを示す黒い矩形領域が、予め決められた位置に、予め決められた大きさで印刷されている。中央部には、シートＳの機能を示す「セパレータ」という文字列が印刷され、さらにシートＳの使用方法を示す「文書と文書のあいだにはさんで使用して下さい」という文字列が印刷されている。
【００４５】
このシートＳは、複写機１の画像読取部１２により読取った画像に、既定領域に既定量の黒画素が存在した場合、制御部１１、制御部２１、あるいは制御部３１により画像がシートＳであると判断されるものである。
【００４６】
また、シートＳには、ユーザがどのように使用すればよいのか、一目してわかるように案内が印刷されている。なお、この特殊なシートＳを検知するための対象物は、矩形領域に印刷された黒画素に限定されるものではなく、例えば、「、＋といった特定のマークや、英数字などの文字列、バーコードのような幾何学的な模様など、画像処理システムにおいて既定された画像処理によってシートＳと判定できるものであればよい。
【００４７】
図３は、ネットワークサーバ２のデータ記憶部２３内の操作管理テーブル２３ａ、文書管理テーブル２３ｂ、ページ管理テーブル２３ｃの一例を示す図である。
【００４８】
操作管理テーブル２３ａは、操作ＩＤ欄、入力日付欄、入力日時欄、文書数欄、処理状態欄、文書管理テーブル２３ｂへのポインタ欄で構成される。操作ＩＤ欄には、ユーザが行った読取操作を一意に識別する識別子が格納される。読取日付欄には読取操作が行われた日付が格納され、読取時刻欄には、読取操作が行われた時刻が格納される。処理状態欄には、各操作で読取処理された原稿画像や管理データの処理状態が格納される。文書数欄には、一度の操作で読取られた複数原稿をシートによって分割した文書の数が格納される。文書管理テーブル２３ｂへのポインタ欄は、各操作に属する文書を格納した文書データリストへのポインタが格納される。
【００４９】
この操作管理テーブル２３ａにより、各操作ごとに、その操作がいつ行われたのか、現在、どのような処理が行われているのか、読取られたデータにはシートで区切られた文書がいくつ存在するのか、あるいは各文書の情報はどこに問い合わせればよいのかを検索できるようになっている。
【００５０】
文書管理テーブル２３ｂは、文書ＩＤ欄、文書の原稿順序欄、ページ数欄、ページ管理テーブル２３ｃへのポインタ欄で構成される。文書ＩＤ欄には、一度の操作で読取られた複数枚の原稿に含まれる文書が一意に識別できる識別子が格納される。文書の原稿順序欄には、制御部１１で判断した「原稿の順序」に基づいて、原稿の先頭にある文書からの文書の順序を示す数値を格納する。ページ数欄には、文書を構成するページの数が格納される。ページ管理テーブル２２ｃヘのポインタ欄には、文書を構成するページ情報を格納したページ管理テーブル２３ｃへのポインタが格納される。
【００５１】
この文書管理テーブル２３ｂにより、各文書ごとに、文書の順序、何枚のページで構成されているか、および文書を構成するページに関する情報はどこに問い合わせればよいのかを検索できるようになっている。
【００５２】
ページ管理テーブル２３ｃは、ページＩＤ欄、原稿順序欄、属性欄、画像ファイル名欄で構成される。ぺージＩＤ欄は、文書を構成する各ページを一意に識別するページ識別子が格納される。原稿順序欄は、制御部１１で判断した「原稿の順序」に基づいて、原稿の先頭にあるページからの各ページの順序を示す数値を格納する。属性欄には、そのページが「文書画像」であるか、「シート画像」であるかを格納する。画像ファイル名欄には、各ページの画像データを格納しているファイル名を格納する。
【００５３】
このページ管理テーブル２３ｃにより、各ページごとに、ページの順序、属性が文書であるかシートであるか、およびページデータに対応する原稿画像がどこに格納されているかを検索できるようになっている。
【００５４】
図４は、ネットワークサーバ２のデータ記憶部２３内の操作管理テーブル２３ａに記憶されている操作管理データの表示例を示す操作表示画面の一例である。
図４に示すように、この画面上部には、表示内容を示す「操作一覧」という文字列が表示されている。左部には、管理している操作の一覧が、操作ＩＤとともに表示されている。右部には、各操作がアイコンの形式で一覧表示されている。また、ユーザが操作を選択するための矢印が表示され、ユーザはこの矢印を表示されている操作アイコン上に移動させてマウスをクリックすることにより、操作を選択できるようになっている。選択された操作は太枠で強調表示され、同時に左部のツリー表示でも反転表示で強調されて表示されている。これにより、一目してユーザが選択した操作がわかるようになっている。
【００５５】
図５は、ネットワークサーバ２のデータ記憶部２３内の文書管理テーブル２３ａに記憶されている文書管理データの表示例を示す文書表示画面の一例である。
図５は、図４の操作表示画面より操作１を選択した際に表示部３２に表示される画面である。この画面の上部には、どの操作の表示をしているかを示す「操作１」という文字列と、その操作を構成する文書数を示す「文書数３」という文字列が表示されている。左部には、操作一覧と、選択された操作を構成する文書の一覧が階層構造で表示されている。右部には、選択された操作を構成する文書がアイコンの形式で一覧表示されている。この文書を示すアイコンは、その文書を構成する文書画像が原稿順に重ねて表示されるものである。これにより、操作と文書との階層構造が一目してわかるようになっている。
【００５６】
図６、図７は、ネットワークサーバ２のデータ記憶部２３内のページ管理テーブル２３ｃに記憶されているページ管理データの表示例を示すページ表示画面の一例である。
【００５７】
図６は、図５の文書表示画面から文書１を選択した際に表示部３２に表示される画面である。この画面の上部には、どの操作のどの文書を表示しているかを示す「操作１」、「文書１」という文字列と、その文書を構成するページ数を示す「ページ数３」という文字列が表示されている。左部には、操作一覧と、選択された操作を構成する文書の一覧、選択された文書を構成するページの一覧が階層構造で表示されている。右部には、選択された文書を構成するシートの画像を含む各ページの縮小画像が、一覧表示されている。
【００５８】
また、図６に示すように、ユーザが操作部３４のマウスにより画面に表示される矢印形のマウスポインタ（矢印）を移動させ、マウスポインタで指し示す位置が表示されている各ページの縮小画像上に移動すると、マウスポインタの下に表示される矩形領域に、そのページの属性と読取日時が表示されるようになっている。
【００５９】
また、ユーザは、このマウスポインタを表示されているページの縮小画像上に移動させてマウスを左クリックすることにより表示されているページを選択するようになっている。ユーザによりページが選択されると、選択されたページは太枠で強調表示され、同時に左部に表示されている階層構造を示す表示領域でも、選択されたページが反転表示によって強調表示されている。
【００６０】
また、図７に示すように、ページに対して行えるコマンドがメニュー形式で選択できるようになっている。このメニューは、例えば、ユーザがページを選択後、マウスの右クリックを行うといった操作によって表示される。これにより、一目してユーザが選択したページがわかるようになっており、また、そのページに対するコマンドを選択できるようになっている。
【００６１】
図８は、ネットワークサーバ２のデータ記憶部２３内の操作管理テーブル２３ａに記憶されている各ページに関する情報を表示する詳細表示画面の一例である。
【００６２】
図８に示すように、画面の上部には、どの操作のどの文書のどのページについての情報であるかを示す「操作１文書１ページ１のプロパティ」という文字列が表示されている。中央部には、各ページがいつ入力されたのか、どの操作のどの文書に属しているのか、入力された順序はいつか、属性はシートか文書か、実際に画像データを格納しているファイル名は何かを示す文字列群が表示されている。ここで、ページに対する属性については、「シート」か「文書」かをユーザが設定できるように択一選択方式のボタンが表示されている。下部には、このページのプロパティがこの設定でよいかどうかを決定するための「ＯＫ」「キャンセル」ボタンが表示されている。これにより、ユーザは、ページが文書であるか、シートであるかを選択し、ＯＫボタンを押すことで、各ページの属性を変更できるようになっている。
【００６３】
図９は、異なる操作によって入力された文書の結合処理を行って良いかどうかをユーザに問うための警告を表示する警告表示画面の一例である。
【００６４】
図９に示すように、警告表示欄の上部には、警告であることを示す「警告」という文字列が表示される。中央部には、警告の内容を示す「選択された文書は、一度の操作で入力されてものではありませんが、結合してよろしいですか？」という文字列が表示される。下部には、ユーザの決定を指示するためのボタン「はい」「いいえ」が表示される。このように異なる操作により読取った文書どうしを結合する場合に、ユーザに対して警告を表示し、この表示によりユーザに結合処理を行うか否かを確認させるようにしたものである。これにより、ユーザは、異なる操作で読取った文書を結合を指示した際に、文書の結合を行って良いか否かを確認でき、誤操作を防止することができる。
【００６５】
図１０は、ネットワークサーバ２のデータ記憶部２３内の操作管理テーブル２３ａに記憶されている操作管理データにおける各操作の処理状態を区別して表示する画面の一例を示すものである。
【００６６】
図１０に示すように、画面の上部には、表示内容を示す「操作一覧」という文字列が表示されている。左部には、今まで行った操作の一覧が操作ＩＤとともに階層構造で表示されている。右部には、各操作に対する処理状態がその処理状態を示すアイコン（状態アイコン）により区別されて表示されている。
【００６７】
例えば、すでにシート検知に基づく文書の分割処理が終わっている場合は「本」のアイコン、スキャン処理中の場合は「スキャナ」アイコン、シート検知中の場合は「砂時計」アイコンなどである。これにより、ユーザは各操作で入力した画像データの処理状態を一目してわかるようになっており、ユーザが画像データの処理状態が分からずに読取中やシート検知処理中の画像データに対する操作を行ってしまうことを防止できる。
【００６８】
次に、上記自動給紙装置１３にセットされた原稿を１枚づつシートか文書かを判断しつつ原稿を読取る場合の読取処理について図１１に示すフローチャートを参照しつつ説明する。
【００６９】
すなわち、ユーザが文書と文書との間にシートＳを挿入した原稿を自動給紙装置１３にセットした後、ユーザＰＣ３の操作部３４により原稿の読取り指示を与える。すると、複写機１の制御部１１は、自動給紙装置１３の図示しない検知センサにより原稿が所定位置にセットされているか否かを判断する（ステップ１）。この判断により原稿がセットされていると判断した際、制御部１１は、自動給紙装置１３にセットされている原稿を１枚読込み、画像データに変換する（ステップ２）。
【００７０】
この際、制御部１１は、セットされる原稿面の向きと、原稿を給紙する位置に基づいて予め設定されている原稿の読取順序を判断する。
【００７１】
例えば、複写機１に具備されている自動給紙装置１３が、原稿の読取面を上向きにセットし、セットされた原稿の一番下のページから読取りを開始するという制約があった場合には、「原稿の最終ページから画像を読取る」と設定され、この設定に基づいて制御部１１が原稿の読取順が最終ページから先頭ページの順になっていると判断する。また、原稿の読取面を下向きにセットし、セットされた原稿の一番下のぺージから読取りを開始するという制約があった場合には、「原稿の先頭ページから画像を読取る」と設定され、この設定に基づいて制御部１１は原稿の読取順序が先頭ページから最終ページの順になっていると判断する。
【００７２】
ここで、１枚目の原稿を読取って画像データに変換し、制御部１１が先頭ページからの読取と判断した際、複写機１の制御部１１は、ネットワークサーバ２の制御部２１に読込んだ画像が原稿の１枚目であるという制御信号をネットワークサーバ２の制御部２１に送信する。
【００７３】
ネットワークサーバ２の制御部２１は、この制御信号を受信した際、その画像データが１枚目の原稿か否かを判断する（ステップ３）。この判断により画像が１枚目の画像と判断した場合、新規の操作ＩＤ（操作１、操作２、…）を発行して操作管理データテーブル２３ａを作成する（ステップ４）。この際、新規に作成した操作管理テーブル２３ａには操作データを発行した日時を入力日付、入力時間とし、操作の処理状態を「スキャン中」と設定する。
【００７４】
次に、複写機１の制御部１１は、１枚目の原稿を読取った際、この読込んだ画像がシートＳであるかどうかを判定する（ステップ５）。例えば、図３に示すシートＳの場合、読取った原稿の画像データの既定位置の既定矩形領域に既定量の黒画素が存在した際に、この原稿をシートＳと判断する。
【００７５】
そして、読取った原稿がシートＳであると判断した場合（ステップ６）、あるいはシートＳでなくても１枚目の原稿（原稿の先頭ページ）である場合（ステップ７）、ネットワークサーバ２の制御部２１は、上記ステップ４で作成した操作データに属する文書として新規に文書ＩＤを発行し、文書管理テーブル２３ｂに文書データを格納する（ステップ８）。
【００７６】
この際、ネットワークサーバ２の制御部２１は、複写機１の制御部１１により判断された原稿の読取り順序から、実際にセットされた原稿の順序に適するように、原稿順序欄に原稿順序を格納する。例えば、原稿の先頭ページから読込んでいる場合、原稿の読取順に文書データを作成し、原稿順序を「１」から順に格納して行く。また、原稿の最終ページから読込んでいる場合は、最初の読取った原稿の画像データに対する文書データに原稿順序「１」を格納し、次の画像データに対して、新しい文書データを作成し、原稿順序「１」を格納するとともに、前に作成した文書データの原稿順序を「２」として格納する。
【００７７】
さらに、制御部２１は、複写機１により読取った原稿の画像データがシートであっても文書であっても、先に作成した文書データに属するページデータとして、新規にページＩＤ（ページ１、ページ２、…）を発行し、ページ管理テーブル２３ｃにページデータを格納する（ステップ９）。このときも文書データと同様に、複写機１の制御部１１で判断した原稿の読取り順序に基づいて、原稿の先頭ページから読取っている場合、読取順と原稿順序とが同じ順序になるように原稿順序を格納し、原稿の最終ページから読取っている場合、読取順と原稿順序とが逆になるように原稿順序を格納する。
【００７８】
また、複写機１の制御部１１がシートＳであると判断した原稿画像は、属性として「シート」を、そうでない場合は「文書」を格納し、実際に読取った画像データをファイルに格納して、ファイル名を画像ファイル名欄に格納する。この際、上記ステップ７で作成した文書データのページ数も増加（インクリメント）させる。
【００７９】
また、上記ステップ７で読取った原稿画像がシートＳでなく、かつ１枚目の原稿でないと判断した際、ネットワークサーバ２の制御部２１は、上記ステップ９へ進み、ページデータを作成し、ページ管理テーブル２３ｃに格納する。
【００８０】
これらの一連の手順（ステップ１〜ステップ９）は、上記ステップ１で原稿の無しが判断されるまで、つまり、自動給紙装置１３にセットされている原稿がなくなるまで行う。そして、上記ステップ１で原稿無しを判断した際に、原稿の読取処理の完了を判断して上記操作管理テーブル２３ａに記憶している処理状態を読取処理完了とする。この結果、原稿順序を維持しながら、シートにより分割された文書データを、操作単位でデータ記憶部２３内の各管理テーブル２３ａ、２３ｂ、２３ｃに格納することができる。
【００８１】
次に、上記自動給紙装置１３にセットされた原稿を全て読取った後、シートを検知する場合の処理手順について図１２に示すフローチャートを参照しつつ説明する。
【００８２】
すなわち、ユーザが自動給紙装置１３に原稿をセットし、操作部３４により原稿の読取り指示を与えると、複写機１の制御部１１は自動給紙装置１３に原稿がセットされているか否かを判断する（ステップ１１）。この判断により自動給紙装置１３に原稿がセットされていると判断した際、画像読取部１２により原稿を１枚読込んで原稿画像としての画像データに変換する（ステップ１２）。この変換された画像データは、ネットワークインターフェイス２０を介してネットワークサーバ２に送信される。ネットワークサーバ２の制御部２１は、画像データを受信した際、その画像データが１枚目か否かを判断する（ステップ１３）。この判断により１枚目の画像データと判断した際、制御部２１は、新規に操作ＩＤを発行し、操作管理テーブル２３ａに操作データを格納するとともに（ステップ１４）、この操作データの処理状態をスキャン中と設定する。そして、制御部２１は、この操作データに属する文書として、新規に文書ＩＤを発行し、文書管理テーブル２３ｂに文書データを格納する（ステップ１５）。さらに、制御部２１は、読取った画像を先に作成した文書データに属するページとして、新規にページＩＤを発行し、ページ管理テーブル２３ｃにページデータを格納する（ステップ１６）。このとき、制御部２１は、制御部１１で判断した原稿の読取順序から、実際にセットされた原稿順序に適するように原稿順序欄に原稿順序を格納する。
また、上記ステップ１３で１枚目の原稿画像でないと判断した際、上記ステップ１６に進み。新規に操作ＩＤ、および文書ＩＤを発行することなく、上記ステップ１４、およびステップ１５で作成された操作、文書に属するページとしてページ管理テーブル２３ｃに新規ページを作成してページデータを格納する。
【００８３】
この一連の手順（上記ステップ１１〜ステップ１６）は、上記ステップ１１で自動給紙装置１３にセットされている原稿がないと判断されるまで行う。この結果、読取った画像データの各ページは、１つの操作に属する１つの文書として各管理テーブル２３ａ、２３ｂ、２３ｃにより原稿順序が管理された状態で、データ記憶部２３に格納される。
【００８４】
上記ステップ１１で制御部２１が自動給紙装置１１に原稿がセットされていないと判断した場合、主制御部２１は、上記ステップ１４で作成した操作データに属する文書データに対応するページ管理テーブル２３ｃを検索してシート検知処理がされていないページがあるか否かを判断する（ステップ１７）。なお、新規に作成した操作データがない場合は処理を終了する。この判断により未処理のページがあると判断すると、制御部２１は、上記ステップ１４で作成した操作データの処理状態をシート検知中に変更し、そのページに対するシートの検知を開始する。まず、制御部２１は、上記ステップ１４で作成した操作データに格納された文書に属しているページの画像データをデータ記憶部２３から原稿順序に従って順次読込む（ステップ１８）。制御部２１は読込んだ画像データの所定領域に所定の黒画素数があるか否かによりシート画像であるか否かを判定する処理を行う（ステップ１９）。ここで、そのぺージの画像データがシート画像であると判断した場合（ステップ２０）、制御部２１は、そのページに対して格納されている原稿順序が１枚目か否かを判断する（ステップ２１）。この判断により原稿が１枚目でないと判断した際、この操作データに属する文書として、新規に文書ＩＤを発行して文書管理テーブル２３ｂを新たに作成し、文書データを格納する（ステップ２２）。さらに、シートと判定された画像から原稿順序の最終ページまでを新規の文書データに属するページとし、新規の文書データに属するページ管理テーブル２３ｃを作成し、ページデータを移動する。次に、移動後のページデータを対象として、上記ステップ１７でシート検知処理がなされていないページデータがあるか否かを判断し、上記ステップ１８〜上記ステップ２３、上記ステップ１７と同様の処理をすべてのページに対して行う。そして、上記ステップ１７で未処理のページなしを判断し、上記ステップ１４で作成した操作データに属するすべてのページに対するシート検知処理が終了した際、その操作データの処理状態をシート検知完了に変更して読取処理を終了する。この結果、原稿順序を維持しながら、すべてのページデータに対するシート検知処理で検知されたシートにより分割された文書データを、操作単位で操作管理テーブル２３ａ、文書管理テーブル２３ｂ、ページ管理テーブル２３ｃに格納することができる。
【００８５】
次に、上記操作管理テーブル２３ａ、文書管理テーブル２３ｂ、およびページ管理テーブル２３ｃによる管理データの表示手順の一例を図１３に示すフローチャートを参照しつつ説明する。
【００８６】
ユーザＰＣ３の制御部３１は、ユーザの操作に基づいてネットワークサーバ２のデータ記憶部２３内の操作管理テーブル２３ａ、文書管理テーブル２３ｂ、ページ管理テーブル２３ｃに記憶されている各管理データを読込み（ステップ３１）、各操作、文書、ページの階層構造に従って、上述したように、図５、図６、および図７に示すような表示を行う。
【００８７】
この際、制御部３１は、ユーザによる設定がアイコンを状態別に表示するか否かを判断する（ステップ３２）。
【００８８】
この判断により状態別のアイコン（状態アイコン）を表示すると判断した際、制御部３１は、たとえば、図１０に示すように、操作管理テーブル２３ａに記憶されている処理状態に対応する状態別のアイコンを上記記憶部３３よりロードし（ステップ３３）、表示部３２に表示する（ステップ３５）。また、状態別にアイコンを表示しないと判断した際、制御部３１は、操作管理テーブル２３ａに記憶されている処理状態による区別をしないで通常のアイコン（通常アイコン）を記憶部３３よりロードし（ステップ３４）、表示部３２に表示する（ステップ３５）。なお、上記状態アイコン、および上記通常アイコンは、記憶部３３に記憶されるとしたが、システム上のどこに記憶されているようにしても良い。
【００８９】
上記ステップ３５でアイコンを表示した後、一定時間以上経過した際（ステップ３６）、制御部３１は、上記ステップ５１に戻り、再度、操作管理テーブル２３ａから処理状態を読込み、その内容に応じた状態アイコンあるいは通常アイコンを再表示する。
【００９０】
また、上記ステップ３６で一定時間経過する前に、ユーザが表示内容に対して操作を行うと（ステップ３７）、制御部３１は、表示の終了指示か否かを判断する（ステップ３８）。この判断により表示終了の指示でないと判断した際、どの対象に対するどういった指示であるかを判断し、この判断に従って表示部３２の表示画面を操作に対応した表示内容に変更する（ステップ３９）。例えば、図５に示すように、通常アイコンで表示している場合、表示画面で、ユーザが「操作１」アイコン上でマウスをダブルクリックした場合は、ユーザによる指示を検知し（ステップ３７）、さらに終了の指示でないと判断する（ステップ３８）。そして、制御部３１は、「操作１」に対する「詳細表示指示」の指示に従って、操作１に属する文書データを文書管理テーブル２３ｂより検索して図６に示すような表示に変更する（ステップ３９）。また、上記ステップ３８でユーザからの指示が「終了指示」であったと判断した際、表示を終了する。これにより、各操作の処理状態をアイコンにより表示して、ユーザに知らせることができ、処理中の操作に属する文書やページの詳細表示を選択してしまうことを防ぐことができる。例えば、大量のページを一度に入力する場合などでは、スキャン処理を開始した文書が、スキャン中なのか、シート検知処理を行っている最中なのか、あるいはシート検知処理が終了して文書が自動分割された状態なのかを区別して表示部３２に表示することで、ユーザにとって有効なデータがどれであるかがー目で理解でき、有効なデータに対してだけ操作を行うことができるため、ユーザ操作の負荷を減らすことができる。
【００９１】
次に、ユーザが画像の属性の変更指示を行った際に、制御部２１で管理している各管理テーブルの内容を変更する手順の一例について図１４に示すフローチャートを参照しつつ説明する。
【００９２】
上記読取処理によりシートあるいは文書を誤検知した場合、読取られた各ページの属性は、ユーザによる変更指示により変更される。ユーザは、読取画像の処理が終了した後、図６に示すようなページの縮小画面が表示されている画面上にて、マウスポインタをページの縮小画面上に移動させることにより表示される属性と入力日時とを参照し、誤ってシートあるいは文書と検知されてしまったページを探す。そして、ユーザが誤って属性が検知されたページを見つけ、そのページを選択した後、マウスポインタをそのページ画面上に合わせながら、右クリックし、上記図７に示すようなメニュー画面を表示するようになっている。
【００９３】
すると、制御部３１は、メニュー画面の表示を判断し、図７に示すように、属性変更、分割、削除、拡大表示を選択するメニュー画面を表示する。ユーザがこのメニュー画面より属性変更を選択した際、制御部３１は、選択されたページの属性の変更を判断し、属性変更の処理を開始する。
【００９４】
すなわち、制御部３１は、ページの属性の変更指示を検知すると、どのページに対する変更指示か判断し、さらに、「シート」属性から「文書」属性への変更指示か否かにより（ステップ４１）、「シート」属性から「文書」属性への変更指示か「文書」属性から「シート」属性への変更指示かを判定する。例えば、図７において、ユーザがあるページを選択して表示させたメニューから「属性変更」を選択した場合、制御部３１は、ページ情報を表示する指示であると判定し、表示部３２に、図８のようなページの詳細情報を表示する。ここで、ユーザが「ページ属性」を変更し、「ＯＫ」ボタンをクリックした場合は、制御部３１は、「ページ属性の変更指示」を検知し、ユーザが「シート」から「文書」へ属性を変更したのか、「文書」から「シート」へ属性を変更したのかを判断する（ステップ４１）。制御部３１は、ユーザからのページ属性の変更指示を検知した際、ユーザの指示に従って、ページ管理テーブル２３ｃに記憶されているページの属性を変更する。
【００９５】
ここで、ユーザの変更指示が「シート」属性から「文書」属性への変更であると判断した際、制御部３１は「通常の文書画像を誤認識してシートと検知したもの」と判断し、指定ページの属性をシートから文書に変更し（ステップ４２）、属性変更が指定されたページを含む文書を、その文書よりも原稿順序のーつ前の文書に追加結合する処理を行う。
【００９６】
例えば、図３に示すようなデータが管理されている場合、文書２のページ１の画像属性が「シート」から「文書」に変更された場合（ステップ４１）、文書２のページ１の属性を「文書」に変更するとともに（ステップ４２）、文書２のすべてのページを、文書２よりも原稿順序の１つ前の文書である「文書１」の最終ページの後ろに移動する（ステップ４３）。そして、指定ペ一ジを含んでいた「文書２」のデータを、文書管理テーブル２３ｂから削除するとともに（ステップ４４）、指定ページを含む文書に後続する文書３の文書の原稿順序を「３」から「２」に減少（デクリメント）させ（ステップ４５）、文書ＩＤを文書２に変更する。
【００９７】
また、ユーザによる属性の変更指示が「文書」から「シート」であると判断した際（ステップ４１）、制御部３１は、「本来シート画像であるべきものを誤認識してシートと検知できなかった」と判断し、指定ページの属性を「文書」から「シート」に変更し（ステップ４６）、変更指示のあったページからこの文書の最終ページまでを新規文書として分割する処理を行う。
【００９８】
例えば、図３に示すような管理データに対して、ユーザにより、操作１、文書２、ページ５の属性を「文書」から「シート」に変更する指示があった際、制御部３１は、ページ５の属性を「文書」から「シート」に変更する（ステップ４６）。新規作成した文書の文書ＩＤは、文書２の次の文書３となるため、既存の文書３以降の文書の文書ＩＤを、例えば、文書３を文書４、文書４を文書５になるように、１つずつ増加（インクリメント）させる（ステップ４７）。そして、操作１に属する新規文書を作成し（ステップ４８）、文書２のページ５からページ１０を作成した新規文書に移動する（ステップ４９）。さらに、この新規に作成した文書が文書２に続くように新規文書を文書３に設定する（ステップ５０）。
これにより、各ページの属性を変更するだけで、文書の分割および結合の処理を実行することができ、分割あるいは結合した後も文書やページの原稿順序を維持することができる。例えば、このシステムが誤って「シート」と検知した画像があった場合に、ユーザがこの画像の属性を「文書」に変更するだけで、この画像によって分割された文書を自動的に結合することができる。そのため、ユーザが入力順序を考慮して操作する必要がなくなり、ユーザの負荷を減らすことができる。
【００９９】
次に、図５に示すような文書表示画面から文書の結合を行う場合の処理について図１５に示すフローチャートを参照しつつ説明する。
【０１００】
まず、ユーザがある文書を指定し、その文書をドラッグし、他文書上にドロップすると、制御部３１がこの操作を検知し（ステップ６１）、「指定された文書とドロップ先の文書を結合する」指示であると判断する。この判断により、制御部３１は、ドロップ先の文書に対応してページ管理テーブル２３ｃに記憶されている先頭ページの属性を「文書」属性に変更する（ステップ６２）。そして、ドロップ先の文書のページを、指定された文書の最終ページの後に、原稿順序を維持したまま移動する（ステップ６３）。ページの移動が終了すると、ドロップ先の文書データを削除し（ステップ６４）、ドロップ先の文書に後続する文書の原稿順序を減少（デクリメント）する（ステップ６５）。
【０１０１】
例えば、図５に示すような文書表示画面で、ユーザが操作部３４のマウスにより文書１アイコンをドラッグして文書２アイコン上にドロップした場合（ステップ６１）、ユーザＰＣ３の制御部３１は、「文書１と文書２を結合する」指示であると判断する。そこで、制御部３１は、文書２の先頭ページの属性を「文書」に変更し（ステップ６２）、文書２のページ１からページ５までのページデータを既存の文書１の最終ページに後続するページ４からページ８になるように移動する（ステップ６３）。次に、制御部３１は、文書２の文書データを削除し（ステップ６４）、文書２に後続する文書、つまり文書３の文書の原稿順序を「３」から「２」にデクリメントし（ステップ６５）、文書ＩＤを文書３から文書２に変更する。この結果、文書１と文書２が原稿順序を維持したまま結合され、文書３は文書１に後続する文書としてデータが管理される。
【０１０２】
これにより、ユーザが各ページの属性を認識することなく、文書と文書との結合を指示して結合処理を行うことができる。
【０１０３】
次に、図７に示すようなページ表示画面から文書の分割指示を行うことにより文書を分割する処理について図１６に示すフローチャートを参照しつつ説明する。
【０１０４】
まず、ユーザがページ表示画面上にて、あるページを指定してそのページに対するメニューから分割指示を選択する。すると、制御部３１はこの操作を検知し、「指定ページで文書を分割する」指示であると判断する（ステップ７１）。制御部３１は、文書の分割を判断すると、指定ページの属性を「文書」から「シート」属性に変更する（ステップ７２）。そして、指定されたページを含む文書に後続している文書の文書の原稿順序を増加（インクリメント）する（ステップ７３）。次に、制御部３１は、新規に文書ＩＤを発行して文書データを作成し（ステップ７４）、この文書の原稿順序を、指定されたページを含む文書に連続するように変更する（ステップ７５）。そして、指定されたページから、指定されたページを含む文書の最後のページまでのページデータを、新規文書のページ管理テーブル２３ｃに、文書の原稿順序を維持したまま移動する（ステップ７６）。
例えば、図３のように管理されているデータにおいて、ページ管理テーブル２３ａに基づいて表示されるページ表示画面にてユーザが文書２のページ６のアイコン上で、メニュー画面を開き、そのメニュー画面から分割を選択した場合（ステップ７１）、制御部３１は、「文書２を、ページ１からページ５までの文書とページ６からページ１０までの文書に分割する」指示であると判断する。そこで、制御部３１は、文書２のページ６の属性を「文書」から「シート」に変更する（ステップ７２）。さらに、文書２に後続する文書、つまり、文書３の文書に対する原稿順序を「３」から「４」に増加（インクリメント）させる（ステップ７３）。次に、制御部３１は新規に文書ＩＤ「文書４」を発行し、この文書４のデータを作成する（ステップ７４）。ここで、制御部３１は文書４の文書の原稿順序を文書２の原稿順序「２」に連続する値、つまり、「３」に設定する（ステップ７５）。そして、文書２のページ６から文書２の最終ページ（１０ページ）までのページに対応するデータを、文書４のページ管理テーブル２３ｃに移動し（ステップ７６）、この操作１に属する文書数を「１」から「４」に変更する。
【０１０５】
これにより、ユーザが各ページの属性を認識せずに、１つの文書を複数の文書に分割することができる。
【０１０６】
次に、異なる操作で読取った文書を結合する場合に、ユーザに対して警告を行う処理について図１７に示すフローチャートを参照しつつ説明する。
【０１０７】
まず、ユーザの操作により、制御部３１が「文書を結合する」指示が与えられたと判断した際（ステップ８１）、制御部２１は、結合する文書が同じ操作で入力された文書かどうかをチェックする。そして、同じ操作で入力された文書でない場合（ステップ８２）、制御部３１は表示部３２に警告メッセージを表示する（ステップ８３）。
【０１０８】
例えば、制御部３１が操作部３４により「操作１の文書３と操作２の文書１を結合する」という指示が与えられたと判断した場合（ステップ８１）、制御部２１は、これら２つの文書の操作ＩＤをチェックする。この結果、２つの文書の操作ＩＤが異なっている際（ステップ８２）、制御部２１は、異なる操作で入力された文書であると判断する。そして、制御部２１は、表示部３２に図９に示すような警告メッセージを表示する（ステップ８３）。
【０１０９】
これにより、異なる操作で読取った文書どうしを誤って結合してしまうことを防ぐことができる。例えば、表示されている文書アイコンをドラッグして他文書アイコン上にドロップして文書を結合する場合、各文書が一度の操作で入力されたものでなければ、それらはシート検知による自動分割を修正する操作ではないと考えられる。このような状況をシステムが自動的に検知し、警告を表示することによって、誤った操作に対する注意を促し、操作ミスを減らすことができる。
【０１１０】
【発明の効果】
以上詳述したように、この発明によれば、複数文書を一度の操作で連続して読取処理し、かつ連続して読取った原稿画像を、特殊なシートを区切りとして自動分割した場合に、読取後に分割された文書に対する操作が容易で、文書の処理状態が明確である画像処理システムを提供できる。
【図面の簡単な説明】
【図１】この発明の実施の形態に係る画像処理システムの概略構成を示すブロック図。
【図２】複数の原稿に含まれる文書と文書との間に用いられるシートの一例を示す図。
【図３】操作管理テーブル、文書管理テーブル、およびページ管理テーブルを説明するための図。
【図４】操作管理テーブルの内容に基づく操作の表示例を説明するための図。
【図５】文書管理テーブルの内容に基づく文書の表示例を説明するための図。
【図６】ページ管理テーブルの内容に基づくページの表示例を説明するための図。
【図７】ページ管理テーブルの内容に基づくページの表示例を説明するための図。
【図８】ページの詳細の表示例を説明するための図。
【図９】ユーザに対する警告の表示例を説明するための図。
【図１０】各操作を処理状態に応じた表示例を説明するための図。
【図１１】原稿を１つずつシート検知する場合の処理を説明するためのフローチャート。
【図１２】原稿を読取った後に、シートを検出する場合の処理を説明するためのフローチャート。
【図１３】各操作の処理状態に応じたアイコンを表示させる処理を説明するためのフローチャート。
【図１４】ページの属性を変更することにより文書の分割および結合を行う処理を説明するためのフローチャート。
【図１５】文書を示すアイコンを操作することにより文書の結合を行う処理を説明するためのフローチャート。
【図１６】ページ画像から表示するメニューの分割を選択して文書の分割を行う処理を説明するためのフローチャート。
【図１７】ユーザに対する警告を表示する処理を説明するためのフローチャート。
【符号の説明】
１…複写機
２…ネットワークサーバ
３…ユーザＰＣ
１１…制御部
１２…画像読取部
１３…ＡＤＦ
１６…記憶部
２１…制御部
２３…データ記憶部
２３ａ…操作管理テーブル
２３ｂ…文書管理テーブル
２３ｃ…ページ管理テーブル
３１…制御部
３２…表示部
３３…記憶部
３４…操作部
【図１】
0003782225.tif 000002
【図２】
0003782225.tif 000003
【図３】
0003782225.tif 000004
【図４】
0003782225.tif 000005
【図５】
0003782225.tif 000006
【図６】
0003782225.tif 000007
【図７】
0003782225.tif 000008
【図８】
0003782225.tif 000009
【図９】
0003782225.tif 000010
【図１０】
0003782225.tif 000011
【図１１】
0003782225.tif 000012
【図１２】
0003782225.tif 000013
【図１３】
0003782225.tif 000014
【図１４】
0003782225.tif 000015
【図１５】
0003782225.tif 000016
【図１６】
0003782225.tif 000017
【図１７】
0003782225.tif 000018